(57)【要約】【課題】  現場にて鉄筋を支持する作業を手間取ることなくスムーズに行えて、かつ、支持した鉄筋を安定した配筋状態に保持することができるスペーサブロックを提供することを目的とする。【解決手段】  低い頂部10Ａと高い頂部10Ｂの２つの頂部10，10を前後方向に有する。かつ、２つの頂部10，10の中間に鉄筋支持用の第１谷部11を形成した２山型の支持ブロック１，１を、左右一対に有する。かつ、一対の支持ブロック１，１の高い頂部10Ｂ，10Ｂを、相互間で連結部２にて連結する。かつ、連結部２の上縁３に、鉄筋支持用の第２谷部12を形成した。【選択図】  図１
0003117388.tif 000002
【実用新案登録請求の範囲】
【請求項１】
低い頂部（10Ａ）と高い頂部（10Ｂ）の２つの頂部（10)(10）を前後方向に有すると共に該２つの頂部（10)(10）の中間に鉄筋支持用の第１谷部（11）を形成した２山型の支持ブロック（１)(１）を、左右一対に有し、かつ、該一対の支持ブロック（１)(１）の高い頂部（10Ｂ)(10Ｂ）を、相互間で連結部（２）にて連結し、かつ、該連結部（２）の上縁（３）に、鉄筋支持用の第２谷部（12）を形成したことを特徴とするスペーサブロック。
【請求項２】
低い頂部（10Ａ）と高い頂部（10Ｂ）の２つの頂部（10)(10）を前後方向に有すると共に該２つの頂部（10)(10）の中間に鉄筋支持用の第１谷部（11）を形成した２山型の支持ブロック（１)(１）を、左右一対に有し、かつ、該一対の支持ブロック（１)(１）の高い頂部（10Ｂ)(10Ｂ）を、相互間で連結部（２）にて連結し、かつ、該連結部（２）の上縁（３）に、鉄筋支持用の第２谷部（12）を形成し、
かつ、各上記支持ブロック（１）は、上記２山型の垂直内壁（４）と、該垂直内壁（４）の周端縁（４ａ）に沿って側外方へ立設された所定左右幅寸法（Ｅ）を有する周囲壁（５）と、をもって側外方へ開口状の直立浅皿状に形成され、かつ、直立浅皿状の各上記支持ブロック（１）は、内部に、補強リブ（６）を上下左右方向に有していることを特徴とするスペーサブロック。
【請求項３】
低い頂部（10Ａ）と高い頂部（10Ｂ）の２つの頂部（10)(10）を前後方向に有すると共に該２つの頂部（10)(10）の中間に鉄筋支持用の第１谷部（11）を形成した２山型の支持ブロック（１)(１）を、左右一対に有し、かつ、該一対の支持ブロック（１)(１）の高い頂部（10Ｂ)(10Ｂ）を、相互間で連結部（２）にて連結し、かつ、該連結部（２）の上縁（３）に、鉄筋支持用の第２谷部（12）を形成し、
かつ、各上記支持ブロック（１）は、所定左右幅寸法（Ｅ）を有し前後方向に２山型の頂部（10Ａ)(10Ｂ）とその中間に上記第１谷部（11）とを成すと共に下辺を省略するように折曲げて形成した弯曲帯壁部（７）を、有し、かつ、上下方向の複数の帯板状支持片（８）が、上記弯曲帯壁部（７）の下面から下方へ垂設されていることを特徴とするスペーサブロック。
【請求項４】
低い頂部（10Ａ）と高い頂部（10Ｂ）の２つの頂部（10)(10）を前後方向に有すると共に該２つの頂部（10)(10）の中間に鉄筋支持用の第１谷部（11）を形成した２山型の支持ブロック（１)(１）を、左右一対に有し、かつ、該一対の支持ブロック（１)(１）の高い頂部（10Ｂ)(10Ｂ）を、相互間で連結部（２）にて連結し、かつ、該連結部（２）の上縁（３）に、鉄筋支持用の第２谷部（12）を形成し、
かつ、各上記支持ブロック（１）は、所定左右幅寸法（Ｅ）を有し前後方向に２山型の頂部（10Ａ)(10Ｂ）とその中間に上記第１谷部（11）とを成すと共に下辺を省略するように折曲げて形成した弯曲帯壁部（７）を、有し、かつ、上下方向の複数の帯板状支持片（８）が、上記弯曲帯壁部（７）の下面から下方へ垂設され、かつ、該帯板状支持片（８）が、上下方向のリブ突条（18）を、前方向又は後方向へ突設したことを特徴とするスペーサブロック。
【考案の詳細な説明】
【技術分野】
【０００１】
本考案は、鉄筋コンクリート工事において、ベース上で鉄筋を支持するためのスペーサブロックに関するものである。
【背景技術】
【０００２】
従来のスペーサブロックは、図６に示したように、下側ブロック部30と上側ブロック部31を、夫々の後部30ａ，31ａの左右一方の隅部同士で、上下方向連結部32をもって連結して成り、最大４本の鉄筋を支持可能なものが知られている。
このスペーサブロックについて具体的に説明すると、下側ブロック部30の上面34には、連結部32から前方へ突条隆起状に形成された鉄筋支持用隆起部35を、有する。そして、下側ブロック部30の上面34から隆起部35の側面にかけて、弯曲保持辺部37が形成され、第１の鉄筋41が、弯曲保持辺部37に沿って当接して、前後方向に配筋された状態に保持される。かつ、連結部32の前面には、弯曲保持部36が形成され、第２の鉄筋42が、弯曲保持部36に当接して、左右方向に配筋された状態に保持される。
また、上側ブロック部31の上面38には、第３の鉄筋43が、左右方向に配筋された状態に支持される。また、上側ブロック部31の上面38には、鉄筋支持用の左右方向突条部39が突設され、突条部39上に、第４の鉄筋44が、前後方向に配筋された状態で支持される。
即ち、１つのスペーサブロックには、下方から上方に、第１・第２・第３・第４の順で、４本の鉄筋が支持され、かつ、第１の鉄筋41、及び、第４の鉄筋44は前後方向に配筋され、第２の鉄筋42、及び、第３の鉄筋43は左右方向に配筋される。
【考案の開示】
【考案が解決しようとする課題】
【０００３】
この従来のスペーサブロックに、夫々の鉄筋を差し込むのに手間取り作業をスムーズに行えない。結果として配筋作業全体の時間が掛かり、工事の進捗が妨げられる。また、鉄筋を一定の配筋状態で保つのが非常に困難であるという欠点がある。具体的には、第１の鉄筋41は、左右方向のうち隆起部35の反対側へは自由状態であり、スライドし易く不安定である。また、第２の鉄筋42は、前方向へは自由状態である。また、第３の鉄筋43、第４の鉄筋44は、夫々、上面38，突条部39上に自由状態で載置されているだけである。
そこで、本考案は、現場にて鉄筋を支持する作業を手間取ることなくスムーズに行えて、かつ、支持した鉄筋を安定した配筋状態に保持することができるスペーサブロックを提供することを目的とする。
【課題を解決するための手段】
【０００４】
上記の目的を達成するために、本考案に係るスペーサブロックは、低い頂部と高い頂部の２つの頂部を前後方向に有すると共に該２つの頂部の中間に鉄筋支持用の第１谷部を形成した２山型の支持ブロックを、左右一対に有し、かつ、該一対の支持ブロックの高い頂部を、相互間で連結部にて連結し、かつ、該連結部の上縁に、鉄筋支持用の第２谷部を形成したものである。
【０００５】
また、低い頂部と高い頂部の２つの頂部を前後方向に有すると共に該２つの頂部の中間に鉄筋支持用の第１谷部を形成した２山型の支持ブロックを、左右一対に有し、かつ、該一対の支持ブロックの高い頂部を、相互間で連結部にて連結し、かつ、該連結部の上縁に、鉄筋支持用の第２谷部を形成し、かつ、各上記支持ブロックは、上記２山型の垂直内壁と、該垂直内壁の周端縁に沿って側外方へ立設された所定左右幅寸法を有する周囲壁と、をもって側外方へ開口状の直立浅皿状に形成され、かつ、直立浅皿状の各上記支持ブロックは、内部に、補強リブを上下左右方向に有している。
【０００６】
また、低い頂部と高い頂部の２つの頂部を前後方向に有すると共に該２つの頂部の中間に鉄筋支持用の第１谷部を形成した２山型の支持ブロックを、左右一対に有し、かつ、該一対の支持ブロックの高い頂部を、相互間で連結部にて連結し、かつ、該連結部の上縁に、鉄筋支持用の第２谷部を形成し、かつ、各上記支持ブロックは、所定左右幅寸法を有し前後方向に２山型の頂部とその中間に上記第１谷部とを成すと共に下辺を省略するように折曲げて形成した弯曲帯壁部を、有し、かつ、上下方向の複数の帯板状支持片が、上記弯曲帯壁部の下面から下方へ垂設されている。
【０００７】
また、低い頂部と高い頂部の２つの頂部を前後方向に有すると共に該２つの頂部の中間に鉄筋支持用の第１谷部を形成した２山型の支持ブロックを、左右一対に有し、かつ、該一対の支持ブロックの高い頂部を、相互間で連結部にて連結し、かつ、該連結部の上縁に、鉄筋支持用の第２谷部を形成し、かつ、各上記支持ブロックは、所定左右幅寸法を有し前後方向に２山型の頂部とその中間に上記第１谷部とを成すと共に下辺を省略するように折曲げて形成した弯曲帯壁部を、有し、かつ、上下方向の複数の帯板状支持片が、上記弯曲帯壁部の下面から下方へ垂設され、かつ、該帯板状支持片が、上下方向のリブ突条を、前方向又は後方向へ突設したものである。
【考案の効果】
【０００８】
本考案は、次のような著大な効果を奏する。
本考案に係るスペーサブロックは、低い頂部と高い頂部を前後方向に有すると共に２つの頂部の中間に鉄筋支持用の第１谷部を形成した２山型の支持ブロックを、左右一対に有し、高い頂部同士を、相互間で連結部にて連結し、連結部の上縁に、鉄筋支持用の第２谷部を形成したので、スペーサブロックの構造がシンプルであり、軽量に形成できるので、ベース上に配置する作業をスムーズに行い得る。そして、各支持ブロックは、所定左右幅寸法の周囲壁を有しているので、スペーサブロックはベース上で安定良く載置され、配置した後で不意に倒れるのを防ぐことができる。
そして、スペーサブロックの第１・第２谷部に鉄筋を嵌めて支持させるだけで配筋できるので、配筋作業が非常に容易である。
また、各スペーサブロックに支持された２本の鉄筋は、平面視クロス状態で、かつ、上下に一定の高さに離間した状態のまま、確実に保持される。よって、鉄筋が不意にずれるのを防止でき、整然とした配筋状態を保つことができる。
また、２本の鉄筋をクロス状としない場所、即ち、１個のスペーサブロックに対し１本の鉄筋のみ配筋する場合でも、鉄筋を、一定の高さに安定して支持できる。
【考案を実施するための最良の形態】
【０００９】
以下、実施の形態を示す図面に基づき、本考案を詳説する。
図１に示したように、本考案に係るスペーサブロックは、低い頂部10Ａと高い頂部10Ｂの２つの頂部10，10を前後方向に有すると共に２つの頂部10，10の中間に鉄筋支持用の第１谷部11を形成した２山型の支持ブロック１，１を、左右一対に有する。なお、高い頂部10Ｂを後側、低い頂部10Ａを前側として、これらの方向を前後方向とする。
各支持ブロック１は、前後方向に立設した２山型の平坦状垂直内壁４と、垂直内壁４の周端縁４ａに沿って側外方へ立設された所定左右幅寸法Ｅを有する周囲壁５と、をもって側外方へ開口状の直立浅皿状に形成されている。
周囲壁５について説明すると、２つの頂部10Ａ，10Ｂを有する弯曲面部15と、弯曲面部15の両端を連結状とする底面部16とから成る。弯曲面部15は、側面視に於て、高い頂部10Ｂと低い頂部10Ａを有する略Ｍ型形に折曲形成され、即ち、高い頂部10Ｂから後方へ下傾状に延設された後脚部15ｂと、低い頂部10Ａから前方へ下傾状に延設された前脚部15ａと、高い頂部10Ｂから前方へ下傾状に延設されると共に第１谷部11を成すように緩やかに折返されつつ前方へ上傾状に延設され低い頂部10Ａに接続される中間受け部15ｃと、から成る。低い頂部10Ａは、高い頂部10Ｂの略１／２の高さに設定される。また、後脚部15ｂの下部は、後方へ緩やかな半円弧状を有し、底面部16の後端に連結する。
【００１０】
また、直立浅皿状の各支持ブロック１は、内部に、複数の上下左右方向の補強リブ６…を有している。具体的には、３枚の補強リブ６…が、底面部16の上面に立設されると共に、夫々、周囲壁５の弯曲面部15のうち両頂部10Ａ，10Ｂ及び第１谷部11の内側の面（下面）に当接して支持するように、配設される。かつ、水平状の補強リブ６が、周囲壁５の内側において第１谷部11の内面に接すると共に上記垂直状の３枚の補強リブ６…と交差するように、配設される。この補強リブ６の後端部は、周囲壁５から後方に突設される。また、この水平状補強リブ６の上方と、高い頂部10Ｂの中間位置に、周囲壁５の内側の面を連結する水平状短補強リブ６が、配設される。各補強リブ６は、周囲壁５と同じ左右幅寸法Ｅを有すると共に、左右側辺のうちの一辺は、垂直内壁４に当接している。
【００１１】
そして、一対の支持ブロック１，１の高い頂部10Ｂ，10Ｂを、相互間で短帯板状の連結部２にて連結する。具体的には、連結部２は、一対の支持ブロック１，１の垂直内壁４，４の対向面の上部同士を連結する。この連結部２の上縁３は、緩やかな弯曲凹み状に形成された鉄筋支持用第２谷部12を、有している。この弯曲凹み状に形成された第２谷部12は、支持する第２の鉄筋22が上記第１の鉄筋21に対し平面視直交状に配設されるように、形成される。また、ベース９から第２谷部12の凹み面の支持部までの支持高さＨ2 は、ベース９から第１谷部11までの支持高さＨ1 の、略１／３に設定される。
各支持ブロック１と補強リブ６…はプラスチックから一体に形成される。また、一対の支持ブロック１，１と連結部２とは接着剤や固着剤等により固着されたり、あるいは一体に形成される。
このスペーサブロックの各支持ブロック１は、内部に補強リブ６…を上下左右に有しているので、強度が大きく、第１の鉄筋21・第２の鉄筋22から受ける下方向への力に対し十分耐え得る。
【００１２】
次に、図２，図３，図４は本考案に係るスペーサブロックの他の実施の形態を示し、図１に示したスペーサブロックとは、以下の点で相違する。即ち、各支持ブロック１において、周囲壁５のうち弯曲面部15の後脚部15ｂの下部も平坦面状に形成されている。また、上下一対の水平状短補強リブ６，６を、有する。このスペーサブロックの各部材も、図１と同様に、樹脂材（例えば、プラスチック）から成る。
【００１３】
次に、図５は本考案に係るスペーサブロックの別の実施の形態を示し、このスペーサブロックの各支持ブロック１は、所定左右幅寸法Ｅを有し前後方向に２山型の頂部10Ａ，10Ｂとその中間に第１谷部11とを成すと共に下辺を省略するように折曲げて形成した弯曲帯壁部７を、有する。図１と同様に、高い頂部10Ｂを後側、低い頂部10Ａを前側として、前後方向に配設されるとすると、弯曲帯壁部７は、高い頂部10Ｂと低い頂部10Ａを有する略Ｍ型形状を有する。具体的には、弯曲帯壁部７は、高い頂部10Ｂから後方へ下傾状に延設された後脚部７ｂと、低い頂部10Ａから前方へ下傾状に延設された前脚部７ａと、高い頂部10Ｂから前方へ下傾状に延設されると共に第１谷部11を成すように緩やかに折返されつつ前方へ上傾状に延設され低い頂部10Ａに接続される中間受け部７ｃと、から成る。
そして、一対の支持ブロック１，１の高い頂部10Ｂ，10Ｂが、相互間で短帯板状の連結部２にて連結され、かつ、連結部２の上縁３は、鉄筋支持用第２谷部12が、弯曲凹状に形成されている。連結部２の上縁３、第１谷部11及び第２谷部12のベース９からの支持高さの関係、両頂部10Ａ，10Ｂの高さの関係は、図１のものと同様に設定される。
【００１４】
また、上下方向の複数の帯板状支持片（支持脚）８が、弯曲帯壁部７の下面から下方へ垂設されている。具体的には、弯曲帯壁部７のうち、両頂部10Ａ，10Ｂ及び第１谷部11に対応する下面から、３枚の帯板状支持片８…が、下方へ垂設される。各支持片８は、弯曲帯壁部７と同じ所定左右幅寸法Ｅを有する。
かつ、各帯板状支持片８は、その前面又は後面に、上下方向のリブ突条18が突設されている。図例では、前面及び後面の両面にリブ突条18，18が突設されているが、リブ突条18は、前面又は後面のどちらか一面のみに突設されるもよい（図示省略）。また、連結部２の中間部の前面・後面にも、上下方向のリブ突条19が突設されている。リブ突条18，19により、支持片８・連結部２は、鉄筋から受ける力に十分耐え得る強度を有する。
また、このスペーサブロックの各部材は、図１、及び図２〜図４のものと同様に、樹脂（例えば、プラスチック）から成る。
【００１５】
次に、本考案に係るスペーサブロックの使用方法について説明する。
そして、建築現場のベース上に、スペーサブロックを所定間隔をもって配設する。
先ず、図１に示したスペーサブロックに於ては、第１谷部11，11に第１の鉄筋21を支持させて、次いで、第２谷部12上に第２の鉄筋22を（第１の鉄筋21とクロス状に）支持させる。第１の鉄筋21は、前後方向にずれることなく、安定した姿勢で保持され、かつ、第２の鉄筋22は、左右方向にずれることなく、安定した姿勢で保持される。このように、第１の鉄筋21と第２の鉄筋22とは、互いにクロス状とされ、かつ、夫々、ベース９からの支持高さＨ1 ，Ｈ2 が正確に得られ一定の上下間隔を有する状態で、安定して支持される。
図２〜図４のスペーサブロック、及び、図５のスペーサブロックについても同様の手順にて、ベース９上に配設されると共に、鉄筋21，22が支持される。
【００１６】
以上のように、本考案に係るスペーサブロックは、低い頂部10Ａと高い頂部10Ｂの２つの頂部10，10を前後方向に有すると共に２つの頂部10，10の中間に鉄筋支持用の第１谷部11を形成した２山型の支持ブロック１，１を、左右一対に有し、かつ、一対の支持ブロック１，１の高い頂部10Ｂ，10Ｂを、相互間で連結部２にて連結し、かつ、連結部２の上縁３に、鉄筋支持用の第２谷部12を形成したことから、スペーサブロックの構造がシンプルであり、軽量に形成できるので、ベース９上に配置する作業をスムーズに行い得る。そして、各支持ブロック１は、所定左右幅寸法Ｅの周囲壁５を有しているので、スペーサブロックはベース９上で安定良く載置され、配置した後で不意に倒れるのを防ぐことができる。
そして、スペーサブロックの第１・第２谷部11，12に鉄筋を嵌めて支持させるだけで配筋できるので、配筋作業が非常に容易である。
また、各スペーサブロックに支持された２本の鉄筋は、平面視クロス状態で、かつ、上下に一定の高さに離間した状態のまま、確実に保持される。よって、鉄筋が不意にずれるのを防止でき、整然とした配筋状態を保つことができる。
また、２本の鉄筋をクロス状としない場所、即ち、１個のスペーサブロックに対し１本の鉄筋のみ配筋する場合でも、鉄筋を、一定の高さに安定して支持できる。
【００１７】
また、スペーサブロックは、低い頂部10Ａと高い頂部10Ｂの２つの頂部10，10を前後方向に有すると共に２つの頂部10，10の中間に鉄筋支持用の第１谷部11を形成した２山型の支持ブロック１，１を、左右一対に有し、かつ、一対の支持ブロック１，１の高い頂部10Ｂ，10Ｂを、相互間で連結部２にて連結し、かつ、連結部２の上縁３に、鉄筋支持用の第２谷部12を形成し、かつ、各支持ブロック１は、２山型の垂直内壁４と、垂直内壁４の周端縁４ａに沿って側外方へ立設された所定左右幅寸法Ｅを有する周囲壁５と、をもって側外方へ開口状の直立浅皿状に形成され、かつ、直立浅皿状の各支持ブロック１は、内部に、補強リブ６を上下左右方向に有していることから、スペーサブロックの構造がシンプルであり、軽量に形成できるので、ベース９上に配置する作業をスムーズに行い得る。そして、各支持ブロック１は、所定左右幅寸法Ｅの周囲壁５を有しているので、スペーサブロックはベース９上で安定良く載置され、配置した後で不意に倒れない。
そして、スペーサブロックの第１・第２谷部11，12に鉄筋を嵌めて支持させるだけで配筋できるので、配筋作業が非常に容易である。
また、各スペーサブロックに支持された２本の鉄筋は、平面視クロス状態で、かつ、上下に一定の高さに離間した状態のまま、確実に保持される。よって、鉄筋が不意にずれるのを防止でき、整然とした配筋状態を保つことができる。
また、２本の鉄筋をクロス状としない場所、即ち、１個のスペーサブロックに対し１本の鉄筋のみ配筋する場合でも、鉄筋を、一定の高さに安定して支持できる。
また、各支持ブロック１は、内部に補強リブ６…を上下左右に有しているので、第１谷部11，11の鉄筋支持部と、第２谷部12の鉄筋支持部の強度を一層大きくすることができ、鉄筋の上を作業員が歩いたり、コンクリートを注入する作業を行う際も、破損・破壊等することがなく、鉄筋を所定高さ・同じ配筋状態に、確実に保持できる。
【００１８】
また、スペーサブロックは、低い頂部10Ａと高い頂部10Ｂの２つの頂部10，10を前後方向に有すると共に２つの頂部10，10の中間に鉄筋支持用の第１谷部11を形成した２山型の支持ブロック１，１を、左右一対に有し、かつ、一対の支持ブロック１，１の高い頂部10Ｂ，10Ｂを、相互間で連結部２にて連結し、かつ、連結部２の上縁３に、鉄筋支持用の第２谷部12を形成し、かつ、各支持ブロック１は、所定左右幅寸法Ｅを有し前後方向に２山型の頂部10Ａ，10Ｂとその中間に第１谷部11とを成すと共に下辺を省略するように折曲げて形成した弯曲帯壁部７を、有し、かつ、上下方向の複数の帯板状支持片８が、弯曲帯壁部７の下面から下方へ垂設されていることから、スペーサブロックの構造がシンプルであり、軽量に形成できるので、ベース９上に配置する作業をスムーズに行い得る。しかも、各支持ブロック１は、所定左右幅寸法Ｅの周囲壁５を有しているので、スペーサブロックはベース９上で安定良く載置され、配置した後で不意に倒れるのを防ぐことができる。
そして、スペーサブロックの第１・第２谷部11，12に鉄筋を嵌めて支持させるだけで配筋できるので、配筋作業が非常に容易である。
また、各スペーサブロックに支持された２本の鉄筋は、平面視クロス状態で、かつ、上下に一定の高さに離間した状態のまま、確実に保持される。よって、鉄筋が不意にずれるのを防止でき、整然とした配筋状態を保つことができる。
また、２本の鉄筋をクロス状としない場所、即ち、１個のスペーサブロックに対し１本の鉄筋のみ配筋する場合でも、鉄筋を、一定の高さに安定して支持できる。
また、各支持ブロック１は、所定左右幅寸法Ｅを有する弯曲帯壁部７を有し、かつ、上下方向の複数の帯板状支持片８が、弯曲帯壁部７の下面から下方へ垂設されているので、第１谷部11，11の鉄筋支持部と、第２谷部12の鉄筋支持部の強度を一層大きくすることができ、鉄筋の上を作業員が歩いたり、コンクリートを注入する作業を行う際も、破損・破壊等することがなく、鉄筋を所定高さ・同じ配筋状態に、確実に保持できる。
【００１９】
また、スペーサブロックは、低い頂部10Ａと高い頂部10Ｂの２つの頂部10，10を前後方向に有すると共に２つの頂部10，10の中間に鉄筋支持用の第１谷部11を形成した２山型の支持ブロック１，１を、左右一対に有し、かつ、一対の支持ブロック１，１の高い頂部10Ｂ，10Ｂを、相互間で連結部２にて連結し、かつ、連結部２の上縁３に、鉄筋支持用の第２谷部12を形成し、かつ、各支持ブロック１は、所定左右幅寸法Ｅを有し前後方向に２山型の頂部10Ａ，10Ｂとその中間に第１谷部11とを成すと共に下辺を省略するように折曲げて形成した弯曲帯壁部７を、有し、かつ、上下方向の複数の帯板状支持片８が、弯曲帯壁部７の下面から下方へ垂設され、かつ、帯板状支持片８が、上下方向のリブ突条18を、前方向又は後方向へ突設したことから、スペーサブロックの構造がシンプルであり、軽量に形成できるので、ベース９上に配置する作業をスムーズに行い得る。しかも、各支持ブロック１は、所定左右幅寸法Ｅの周囲壁５を有しているので、スペーサブロックはベース９上で安定良く載置され、配置した後で不意に倒れるのを防ぐことができる。
そして、スペーサブロックの第１・第２谷部11，12に鉄筋を嵌めて支持させるだけで配筋できるので、配筋作業が非常に容易である。
また、各スペーサブロックに支持された２本の鉄筋は、平面視クロス状態で、かつ、上下に一定の高さに離間した状態のまま、確実に保持される。よって、鉄筋が不意にずれるのを防止でき、整然とした配筋状態を保つことができる。
また、２本の鉄筋をクロス状としない場所、即ち、１個のスペーサブロックに対し１本の鉄筋のみ配筋する場合でも、鉄筋を、一定の高さに安定して支持できる。
また、各支持ブロック１は、所定左右幅寸法Ｅを有する弯曲帯壁部７を有し、かつ、上下方向の複数の帯板状支持片８が、弯曲帯壁部７の下面から下方へ垂設されているので、第１谷部11，11の鉄筋支持部と、第２谷部12の鉄筋支持部の強度を一層大きくすることができ、鉄筋の上を作業員が歩いたり、コンクリートを注入する作業を行う際も、破損・破壊等することがなく、鉄筋を所定高さ・同じ配筋状態に、確実に保持できる。
しかも、各支持片８は、リブ突条18が突設されているので、一層強度が大きくなり、破損を確実に防止できる。
【図面の簡単な説明】
【００２０】
【図１】本考案に係るスペーサブロックの実施の一形態を示す斜視図である。
【図２】本考案に係るスペーサブロックの他の実施の形態を示す側面図である。
【図３】正面図である。
【図４】平面図である。
【図５】本考案に係るスペーサブロックの別の実施の形態を示す斜視図である。
【図６】従来のスペーサブロックを示す斜視図である。
【符号の説明】
【００２１】
１  支持ブロック
２  連結部
３  上縁
４  垂直内壁
４ａ  周端縁
５  周囲壁
６  補強リブ
７  弯曲帯壁部
８  支持片
10，10Ａ，10Ｂ  頂部
11  第１谷部
12  第２谷部
18  リブ突条
Ｅ  左右幅寸法
【図１】
0003117388.tif 000003
【図２】
0003117388.tif 000004
【図３】
0003117388.tif 000005
【図４】
0003117388.tif 000006
【図５】
0003117388.tif 000007
【図６】
0003117388.tif 000008